(57)【要約】【課題】設定した条件では両面印刷が不可であると判断された場合、単に印刷を禁止するだけではユーザが立ち往生してしまい、作業効率が低下する。【解決手段】画像形成装置は、両面印刷が不可と判断された場合におこなうべき制御の内容として予め固有の設定を与えられている。両面印刷不可であった場合、画像形成装置の制御部は固有の設定に基づき、両面印刷の設定を解除して片面印刷を継続するか（ステップＳ２０，Ｓ２２）、もしくは印刷を停止してエラーを発生させる（ステップＳ１８）。固有の設定をユーザが任意に決めることで、両面印刷が不可と判断された場合の動作を最適にコントロールすることができる。【選択図】図３
2008015149.tif 000002
【特許請求の範囲】
【請求項１】
枚様の用紙を積層して収容する給紙部と、
前記給紙部から用紙を送り出し、その一方の面を印刷面とした状態で搬送する用紙搬送部と、
ページごとに処理された画像データに基づいて画像を形成する画像形成部と、
前記用紙搬送部により搬送された用紙の印刷面に対し、前記画像形成部で形成された画像を転写する転写部と、
前記転写部で用紙の印刷面に転写された画像を定着させる定着部と、
前記定着部で一方の面を印刷面として画像が定着された用紙を反転させ、その他方の面を印刷面とした状態で前記用紙搬送部に合流させる両面印刷機構とを備えた画像形成装置において、
所定のジョブ単位で画像データを処理する画像処理手段と、
前記画像処理手段で処理された画像データを用いて用紙に画像を印刷するため、前記給紙部、前記用紙搬送部、前記画像形成部、前記転写部、前記定着部及び前記両面印刷機構が行うべき一連の動作を制御する制御手段と、
前記画像処理手段により画像データが処理されるジョブ単位ごとに前記両面印刷機構を用いて用紙に両面印刷を行うか否かを設定する両面印刷設定手段と、
前記両面印刷設定手段により両面印刷を行う旨が設定されたジョブについて前記画像形成部により画像を形成するための動作の実行中に両面印刷の可否を判断する両面印刷可否判断手段と、
前記両面印刷可否判断手段により両面印刷が不可であると判断された場合、予め設定された固有の動作に関する制御を前記制御手段に実行させる固有制御実行手段と
を備えたことを特徴とする画像形成装置。
【請求項２】
請求項１に記載の画像形成装置において、
前記固有制御実行手段は、
前記両面印刷設定手段による両面印刷を行う旨の設定を解除し、片面印刷の形式で印刷を行うべく前記制御手段による制御を継続させる第１の固有動作か、もしくは前記画像形成部により画像を形成するための動作を停止させてエラー状態を発生させる第２の固有動作のいずれかを固有の動作として設定可能であることを特徴とする画像形成装置。
【請求項３】
枚様の用紙を積層して収容する給紙部と、
前記給紙部から用紙を送り出し、その一方の面を印刷面とした状態で搬送する用紙搬送部と、
ページごとに処理された画像データに基づいて画像を形成する画像形成部と、
前記用紙搬送部により搬送された用紙の印刷面に対し、前記画像形成部で形成された画像を転写する転写部と、
前記転写部で用紙の印刷面に転写された画像を定着させる定着部と、
前記定着部で一方の面を印刷面として画像が定着された用紙を反転させ、その他方の面を印刷面とした状態で前記用紙搬送部に合流させる両面印刷機構とを備えた画像形成装置において、
所定のジョブ単位で画像データを処理する画像処理手段と、
前記画像処理手段で処理された画像データを用いて用紙に画像を印刷するため、前記給紙部、前記用紙搬送部、前記画像形成部、前記転写部、前記定着部及び前記両面印刷機構が行うべき一連の動作を制御する制御手段と、
前記画像処理手段により画像データが処理されるジョブ単位ごとに前記両面印刷機構を用いて用紙に両面印刷を行うべきか否かを設定する両面印刷設定手段と、
前記両面印刷設定手段により両面印刷を行う旨が設定されたジョブについて前記画像形成部により画像を形成するための動作の実行中に両面印刷の可否を判断する両面印刷可否判断手段と、
前記両面印刷可否判断手段により両面印刷が不可であると判断された場合、予め設定された個別の動作に関する制御を前記制御手段に実行させる個別制御実行手段と、
前記両面印刷手段により両面印刷を行う旨が設定されたジョブについて前記制御手段が制御を実行するに際し、そのジョブについて前記個別制御手段が前記制御手段に実行させるべき個別の動作に関する制御の内容を設定する個別設定手段と
を備えたことを特徴とする画像形成装置。
【請求項４】
請求項３に記載の画像形成装置において、
前記個別設定手段は、
前記両面印刷設定手段による両面印刷を行う旨の設定を解除し、片面印刷の形式で印刷を行うべく前記制御手段による制御を継続させることを内容とする第１の個別設定値と、
前記画像形成部により画像を形成するための動作を停止させてエラー状態を発生させるとともに、その後の前記制御手段による制御の内容に関するユーザからの指示を待ち受けることを内容とする第２の個別設定値とを有し、
前記第１及び第２の個別設定値のいずれかを選択的に設定可能であることを特徴とする画像形成装置。
【請求項５】
請求項４に記載の画像形成装置において、
前記両面印刷設定手段により両面印刷を行う旨が設定されたジョブについて前記個別設定手段により前記第２の個別設定値が設定されたことで前記制御手段によりエラー状態を発生させる制御がなされた場合、そのジョブで設定された両面印刷を行う旨を解除し、片面印刷の形式で印刷を行うべく前記制御手段による制御を継続させるか、もしくはそのジョブで設定された両面印刷に関する条件を変更して前記制御手段により制御を実行させるかのいずれかを選択的に指示する選択指示手段をさらに備えたことを特徴とする画像形成装置。
【発明の詳細な説明】
【技術分野】
【０００１】
本発明は、プリンタや複写機、ファクシミリ又はこれらを複合した複合機に代表される画像形成装置に係り、特に用紙の両面に印刷を行う機能を有した画像形成装置に関する。
【背景技術】
【０００２】
この種の画像形成装置に関する先行技術として、用紙等の記録媒体への片面画像形成又は両面画像形成のいずれもが可能な画像形成装置が知られている（例えば、特許文献１参照。）。この先行技術では、裏紙（片面が印刷済みのもの）や半透明用紙等のように、これから両面印刷を行うのに適していない記録媒体が画像形成装置にセットされている場合には、ユーザが両面への画像形成をしようとしても、そのような画像形成は禁止される。
【０００３】
上記の先行技術によれば、ユーザが誤って両面印刷に不適切な用紙に両面印刷をしようとした場合は、機械によって両面印刷が禁止されるので、コピーミスがなくなり、用紙やトナーを無駄にしにくくなると考えられる。
【特許文献１】特開平８−２７２１６０号公報
【発明の開示】
【発明が解決しようとする課題】
【０００４】
上述した先行技術では、機械の判断で両面印刷が禁止されると、画像形成装置の動作は強制的に停止される。このように、機械の動作を自動的に停止することは、確かにユーザのミスコピーを防止する観点では有効であるといえる。しかしながら、たとえ両面印刷に適していない用紙（裏紙、半透明用紙等）がセットされているとはいえ、それだけで画像形成装置の動作を一切停止してしまうと、印刷を待っているユーザは全く次に進むことができず、それによって作業効率が大幅に低下してしまうことになる。
【０００５】
そこで本発明は、単に不適切な両面印刷を防止して無駄を抑えるだけでなく、ユーザの作業効率の向上にも寄与することができる技術の提供を課題としたものである。
【課題を解決するための手段】
【０００６】
本発明の画像形成装置は、画像データに基づいて形成した画像を用紙の印刷面に転写して定着させる機能を有する。印刷に用いられる用紙は収容部に積層して収容することができる。画像形成装置は用紙搬送部を備えている。この用紙搬送部は給紙部から用紙を送り出し、その一方の面を印刷面とした状態で搬送する。用紙に転写する画像は、画像形成部により形成される。画像形成部は、ページごとに処理された画像データに基づいて静電潜像及びトナー画像を形成する。転写部では、用紙搬送部により搬送された用紙の印刷面に対して、画像形成部で形成された画像が転写される。用紙の印刷面に転写された画像は、次の定着部で定着される。これにより、先ず用紙の片面に印刷が行わる。引き続き両面印刷を行うため、画像形成装置は両面印刷機構を備えている。両面印刷機構は、一方の面に画像が定着された用紙を反転させ、その他方の面を印刷面とした状態で用紙搬送部に合流させる。これにより、今度は用紙の他方の面に画像が転写及び定着され、両面印刷がなされる。
【０００７】
さらに本発明の画像形成装置は、以下の機能を有する。先ず画像形成装置は、画像処理手段により所定のジョブ単位で画像データを処理することができる。画像処理手段で処理された画像データを用いて用紙に画像を印刷するための一連の動作は、制御手段により制御される。制御手段は、画像形成装置の給紙部、用紙搬送部、画像形成部、転写部、定着部及び両面印刷機構が行うべき一連の動作を制御することができる。
【０００８】
画像形成装置を利用するユーザは、画像処理手段により画像データが処理されるジョブ単位ごとに両面印刷機構を用いて用紙に両面印刷を行うか否かを設定することができる。本発明の画像形成装置は、両面印刷が設定されたジョブについて画像形成部により画像を形成するための動作の実行中に、両面印刷の可否についての判断を行う。この判断は、例えばそのジョブで設定された用紙サイズや用紙タイプ等の条件を加味して行われる。その結果、両面印刷が不可であると判断された場合、予め設定された固有の動作に関する制御を制御手段にが実行することで上記の課題を解決する。
【０００９】
両面印刷が不可と判断されるのは、上記のように用紙サイズ・用紙タイプの不適合等であるが、これらに限らない。いずれにしても、画像形成装置で両面印刷を行うことが不可となるケースに該当していた場合、その後の制御手段による制御の内容は、予め設定された固有の動作を目的としたものとなる。
【００１０】
このときの固有の動作として、例えば無駄な印刷を防止することに重きを置く内容が設定されていれば、制御手段による制御の内容は画像形成部による画像形成の動作を停止することで、不適切な条件のまま両面印刷が行われることを防止するものとなる。一方、固有の動作として作業効率の向上に重きを置く内容が設定されていれば、制御手段による制御の内容は、両面印刷を行う設定を解消した上で、印刷の実行を優先させるものとなる。通常、このときの印刷形式は片面印刷となる。
【００１１】
固有の動作をいずれの内容で設定するかは、予め画像形成装置の運用に際してユーザ（又はその管理者等）が任意に選択することができる。したがってユーザは、あくまで印刷の無駄を省くことを優先して画像形成装置を運用することが利益であると考える場合、それに応じた内容で固有の動作を設定することができるし、逆にユーザは、たとえ両面印刷が不可であっても、片面に変更してとにかく印刷を遂行する方が利便であると考える場合、それに応じた内容で固有の動作を設定することができる。このため、両面印刷が不可である場合に、単純に画像形成装置の動作を停止してしまうだけでなく、ときにはユーザにとっての利便性を高めながら画像形成装置を有効に活用することができる。
【００１２】
また本発明の画像形成装置は、制御手段の機能について別途独立の態様を有する。画像形成装置の基本構成は先と同様であるが、独立の態様では、両面印刷が設定されたジョブを実行するに際して、そのジョブで両面印刷が不可と判断された場合に制御手段が実行するべき制御の内容を個別に設定することができる。
【００１３】
本発明の独立の態様によれば、ユーザが両面印刷を設定したジョブについて、そのジョブごとにユーザは予め両面印刷が不可となった場合の個別の動作を設定しておくことができる。個別の動作に関する設定は２種類であり、その第１は両面印刷が不可となった場合に両面印刷の設定を解除し、片面印刷の形式で印刷を継続させることを内容とするものである。第２は、画像形成部により画像を形成する動作を停止してエラー状態を発生させ、その後の制御の内容に関してユーザからの指示を待ち受けることを内容とするものである。このため、ユーザがジョブ単位で作業効率の方を優先させたい場合は第１の設定を選択し、逆に利便性を向上したい場合は第２の設定を選択することができる。
【００１４】
また、画像形成装置の独立の態様では、個別の設定として第２の設定が選択されている場合に以下の特徴が追加される。すなわち、両面印刷が設定されたジョブについて両面印刷不可と判断され、その結果としてエラー状態が発生された場合、そのジョブで設定された両面印刷を行う旨を解除して制御手段による制御を継続させるか、もしくはそのジョブで設定された両面印刷に関する条件を変更して制御手段により制御を実行させるかのいずれかを選択的に指示することができる。
【００１５】
この場合、エラー状態の発生に伴い、今回のジョブで設定された両面印刷が不可であることをユーザに認識させることができる。その上でユーザに対し、両面印刷の設定を解除してとにかく作業を優先させた制御を行うか、それとも両面印刷に関する条件（用紙サイズ、用紙タイプ等の条件）を変更し、あくまで両面印刷を実行させる制御を行うかの指示を仰ぐことで、ユーザの利便性を大きく向上させることができる。
【発明の効果】
【００１６】
本発明の画像形成装置によれば、ユーザの指定した両面印刷が不可であった場合に実行するべき制御の内容を予め設定しておくことで、ときには作業効率を優先して印刷を行う動作を継続し、また、ときには動作を停止して無駄な印刷を抑えることができる。このため、単に両面印刷が不可であった場合にユーザの作業を滞らせるのではなく、作業性を考慮した設定を活用することで作業効率の向上を図ったり、ユーザの利便性を高めたりすることができる。
【発明を実施するための最良の形態】
【００１７】
以下、本発明の画像形成装置の実施形態について説明する。
図１は、一実施形態の画像形成装置１を概略的に示した垂直断面正面図である。なお、図中の実線矢印は用紙の搬送経路及びその搬送方向を示している。
【００１８】
図１に示されるように、画像形成装置１の本体２の下部には、カセット式給紙部３が配置されている。カセット式給紙部３には、３段の給紙カセット４が備えられている。給紙カセット４はいわゆるフロントローディング式であり、個々の給紙カセット４は、いずれも本体２に対して前面側（図１でみて手前側）にスライドして引き出すことが可能である。また、各給紙カセット４内には印刷前のカットペーパー等の用紙Ｐが積載して収容されている。カセット式給紙部３からは、給紙カセット４内に積載された用紙Ｐが１枚ずつ分離して送り出される。
【００１９】
上・中・下段の給紙カセット４には、それぞれの位置で異なる用紙サイズや用紙タイプを設定することができる。例えば、最上段の給紙カセット４を多目的用途とし、ここにはＯＨＰシートや厚紙、薄紙等を収容することができる。また、中段の給紙カセット４には使用頻度が比較的高いＡ４普通紙を収容し、最下段の給紙カセット４にはＡ４より大型サイズの用紙を収容することができる。各段の給紙カセット４に収容される用紙サイズや用紙タイプ等は、予め画像形成装置１に設定しておくことができる。
【００２０】
本体２の右側面上部には、右側方に張り出すようにして手差し給紙部５が備えられている。手差し給紙部５には、カセット式給紙部３に入っていないサイズの用紙Ｐや、ＯＨＰシートのように１枚ずつ送り込みたいものが載置される。なお手差し給紙部５は、本体２の右側面にたたみ込んで収納できる形態であってもよい。
【００２１】
画像形成装置１は、その内部に用紙搬送部６を備えている。用紙搬送部６は、カセット式給紙部３との関係でみると、その給紙方向である右方に位置し、手差し給紙部５との関係でみると、その左方に位置する。カセット式給紙部３から送り出された用紙Ｐは、用紙搬送部６により本体２の側面に沿って垂直上方に搬送され、また手差し給紙部５から送り出された用紙Ｐは水平に搬送されてそれぞれ転写部１１に至る。
【００２２】
画像形成装置１の本体２の上面には原稿送り部８が設置されている。また、本体２の上部位置には、原稿送り部８の下方に位置して光学部９が設けられている。ユーザが原稿の複写を行う場合には、原稿送り部８に文字や図形、模様等の画像が描かれた原稿を積載する。原稿が複数枚ある場合、原稿送り部８では１枚ずつ原稿が分離して搬送され、光学部９によってその画像が読み取られる。
【００２３】
本体２内には、用紙搬送部６からの用紙搬送方向下流位置に画像形成部としてのプリントエンジン１０及び転写部１１が備えられている。このうちプリントエンジン１０では、読み取り画像を処理した画像データに基づいて原稿画像の静電潜像が形成され、さらにこの静電潜像からトナー像が形成される。
【００２４】
用紙搬送部６よりも用紙搬送方向下流側で、転写部１１のすぐ上流側には、レジストローラ７が備えられている。レジストローラ７は、用紙Ｐの斜め送りを矯正するとともに、プリントエンジン１０で形成されるトナー像との同期をとりながら転写部１１に向けて用紙Ｐを送り出す。転写部１１では、レジストローラ７によって同期をとりつつ送られてきた用紙Ｐにトナー像が転写される。
【００２５】
用紙搬送方向でみて転写部１１の下流側には、定着部１２が備えられている。転写部１１にて未定着トナー像を担持した用紙Ｐは定着部１２へと送られ、ここで加熱・加圧されてトナー像が定着される。
【００２６】
また、用紙搬送方向でみて定着部１２の下流側であって、本体２の左側面の近傍に排出・分岐部１３が備えられている。両面印刷を行わない場合（片面印刷の場合）、定着部１２から排出された用紙Ｐは排出・分岐部１３からそのまま用紙受けトレイ１４に排出される。
【００２７】
プリントエンジン１０から排出・分岐部１３にかけての部分の下方であって、カセット式給紙部３の上方には、両面印刷用ユニット（両面印刷機構）２０が備えられている。両面印刷を行う場合、定着部１２から排出された用紙Ｐは排出・分岐部１３を通って両面印刷用ユニット２０へと送られる。両面印刷用ユニット２０へ送られた用紙Ｐは、続いて両面印刷用ユニット２０に備えられた用紙反転装置３０により搬送方向が切り替えられ、ここから再度、用紙搬送部６及びレジストローラ７を介して転写部１１へと送られる。
【００２８】
用紙反転装置３０は、スイッチバック機構６０及びシフト機構７０を備えている。スイッチバック機構６０は、用紙Ｐの搬送方向を反転させるためのものである。またシフト機構７０は、用紙の幅方向への位置ずれを補正するためのものである。シフト機構７０よりも用紙搬送方向でみて上流位置には、用紙Ｐの幅方向への位置ずれを検知するためのセンサ３１が設けられている。
【００２９】
用紙反転装置３０への進入方向でみて、スイッチバック機構６０のさらに下流側には中間トレイ２１が設置されている。この中間トレイ２１には、一方の面に印刷がされた用紙Ｐが一時的に収容される。スイッチバック機構６０は、用紙Ｐを中間トレイ２１に一旦収容した後、これをスイッチバックさせてその搬送方向を切り替えるものである。
【００３０】
スイッチバックされた用紙Ｐは、シフト機構７０により位置補正がなされた後、これよりも搬送方向下流位置で下方へ潜り込むようにして反転される。そして用紙Ｐは、転写部１１及びプリントエンジン（画像形成部）１０の下方で複数の搬送ローラ５３により右方へ送られた後、僅かに斜めに上昇しつつ用紙搬送部６に合流する。これにより用紙Ｐは、先に印刷がされた方の面を下向きにした状態でプリントエンジン１０に送られ、これにより用紙Ｐの両面に印刷が行われる。両面印刷がされた用紙Ｐは排出・分岐部１３を通って用紙受けトレイ１４に排出される。あるいは、用紙Ｐは再度、用紙反転装置３０により反転された後、本体２の左側部分に沿って上方へ搬送され、用紙受けトレイ１４に排出される。
【００３１】
図２は、画像形成装置１の制御構成を概略的に示したブロック図である。画像形成装置１は、その動作を制御するため制御部１００を備えている。制御部１００は、例えば中央演算処理装置（ＣＰＵ）を備えた電子回路から構成されており、この電子回路が回路基板上に形成された状態で画像形成装置１に内蔵されている。
【００３２】
上述した原稿送り部８による原稿送り動作や、これに伴う光学部９での画像読取動作、カセット式給紙部３からの給紙動作等は、制御部１００により制御されている。また、上記のプリントエンジン１０による画像形成や転写部１１、定着部１２、排出・分岐部１３及び両面印刷用ユニット２０における各動作は、いずれも制御部１００により制御されている。
【００３３】
図２に示されているように、制御部１００には操作・表示部１０２及び記憶部１０４がそれぞれ接続されている。図１には示されていないが、操作・表示部１０２は本体２の上面で、ユーザからみて原稿送り部８の手前側の位置に設けられている。操作・表示部１０２は操作キーの他にタッチ式パネルを有しており、その操作キーに対する操作の他、表示画面を通じてユーザのタッチ操作を受け付けることができる。また記憶部１０４は、例えば記憶装置（ＲＯＭ，ＲＡＭ）や大容量記憶装置（ハードディスク）等を有しており、光学部９にて読み取られた画像は、所定のデータ形式で記憶部１０４に一時的に記憶される。
【００３４】
画像形成装置１では、例えばジョブごとに操作・表示部１０２の操作を通じて設定されたデータが制御部１００を介して記憶部１０４に格納される。この設定には、用紙のサイズ、タイプ及び送り方向、両面又は片面の印刷形式、原稿濃度、枠消去、綴じ代、４ｉｎ１の集約処理等があり、それぞれの設定に応じて制御部１００により画像処理が行われる。画像形成装置１が画像処理に要する時間は、この設定の内容に依存する。記憶部１０４には、例えばマルチスレッド処理を行う複合機用アプリケーションプログラムが格納されている。
【００３５】
例えば、原稿の複写を伴う画像処理では、原稿送り部８に原稿を載置した状態で、操作・表示部１０２のスタートボタン（図示されていない）をユーザが押下すると、この操作に応じて以下の処理が行われる。先ず、原稿送り部８に内蔵された用紙センサ（図示されていない）が原稿用紙を検知している場合、原稿送り部８により原稿が一枚ずつ搬送され、その途中で光学部９により原稿画像が走査される。このとき読み取られた画像データは、制御部１００を介して記憶部１０４に１つのジョブ単位で格納される。
【００３６】
制御部１００は、この画像データに対し、画像のノイズ除去などの前処理を行った後、さらに各種の設定に応じた画像処理を行い、そのデータをページごとにプリントエンジン１０へ供給する。これにより、プリントエンジン１０の感光ドラム表面に静電潜像が形成され、これがトナーで現像される。
【００３７】
その一方で、画像形成装置１の内部では、カセット式給紙部３から取り出された用紙がレジストローラ７へ送られ、ここで一旦停止されている。プリントエンジン１０の感光ドラムが所定回転角まで到達すると、このタイミングでレジストローラ７により用紙が再び搬送され、これによりトナー像が用紙に転写される。
【００３８】
今回のジョブで両面印刷が設定されていた場合、トナー像が転写された用紙は定着部１２を通って加熱・加圧された後、その搬送方向が排出・分岐部１３内で下方へ分岐され、両面印刷用ユニット２０に向けて送り出される。
【００３９】
以上が画像形成装置１の基本的な構成及び動作であるが、加えて本実施形態では、ユーザが今回のジョブで両面印刷を指定したにもかかわらず、制御部１００において両面印刷不可と判断された場合に以下の特徴を有している。
【００４０】
先ず、ユーザが両面印刷を指定したところ、制御部１００において両面印刷不可と判断される場合の例を以下に挙げる。ここでは主に、ジョブで使用する用紙サイズ又は用紙タイプにより両面印刷不可と判断されることになる。
【００４１】
（１）ジョブで給紙段（給紙カセット４）が指定された場合は、その指定された給紙段（給紙カセット４）に収容されている用紙サイズや用紙タイプが両面印刷不可に該当するものである場合、両面印刷が指定されていても制御部１００において両面印刷不可と判断される。具体的には、ユーザがサイズＡ４、タイプ自動、多目的カセット（多目的用途の給紙カセット４）の各条件を指定してジョブを実行したときに、多目的カセットに両面印刷不可タイプ又は両面印刷不可サイズが設定されていた場合である。
【００４２】
（２）ジョブで給紙段を自動選択する指定がなされた場合は、両面印刷可能な設定の給紙段が存在しない場合に両面印刷不可となる。具体的には、ユーザがＡ４サイズ、タイプ自動、給紙段自動選択の各条件を指定してジョブを実行したときに、全ての給紙段で両面印刷不可タイプ又は両面印刷不可サイズが設定されていた場合である。
【００４３】
（３）ジョブで給紙段グルーピング動作が指定された場合は、対象の給紙段全てが両面印刷不可の設定である場合、当然に両面印刷不可となる。具体的には、ユーザが最上段の給紙カセット４と最下段の給紙カセット４とをグルーピング指定してジョブを実行したときに、最上段及び最下段の給紙カセット４が両方ともに両面印刷不可タイプ又は両面印刷不可サイズが設定されていた場合である。
【００４４】
なお、本実施形態でいう両面印刷不可のタイプは、例えばＯＨＰシートや厚紙、薄紙等であり、これらは実際に積載されている給紙段（給紙カセット４）をジョブごとに設定することで、ＯＨＰシート、厚紙、薄紙であることがそれぞれ制御部１００において判別される。また両面印刷不可のサイズは、例えばＡ６サイズのように小さい用紙や封筒等であり、これらは制御部１００を通じてサイズを検知することで、Ａ６サイズや封筒であることが判別される。
【００４５】
このように、ユーザのジョブ設定に相違して制御部１００により両面印刷不可と判断された場合、本実施形態では制御部１００により最適な動作制御を行っている。以下、本実施形態で行われる動作制御について例を挙げて説明する。
【００４６】
〔第１例〕
図３は、制御部１００が実行する動作制御の第１例を示すフローチャートである。制御部１００は、画像形成処理（描画）を完了すると、これに続き第１例として図３の動作制御を実行する。以下、具体的な手順を追って説明する。
【００４７】
ステップＳ１０：制御部１００は、今回のジョブで設定された印刷条件を記憶部１０４から読み出す。印刷条件は、上述のように操作・表示部１０２を通じてジョブごとにユーザが設定した内容に基づいて決定され、記憶部１０４に記憶されている。
【００４８】
ステップＳ１２：次に制御部１００は、読み出した印刷条件に両面印刷指定に関する設定が含まれるか否かを判断する。特に両面印刷指定に関する設定がなければ（Ｎｏ）、制御部１００はそのまま印刷処理（片面印刷）を継続し（図中のステップＳ２２）、ここでひとまず動作制御を終了する。一方、両面印刷指定に関する設定が含まれていれば（Ｙｅｓ）、制御部１００は次のステップＳ１６に進む。
【００４９】
ステップＳ１４：制御部１００は、今回のジョブについて両面印刷が不可であるか否かを判断する。具体的には、今回のジョブに関して先に述べた両面印刷が不可となるケースに該当しているか否かを判断する。その結果、特に両面印刷不可のケースに該当していなければ（Ｎｏ）、制御部１００はそのまま印刷処理を継続し（図中のステップＳ２２）、ひとまず動作制御を終了する。これにより、ユーザがジョブで指定したとおり両面印刷が実行されることになる。これに対して、両面印刷が不可となるケースに該当していれば（Ｙｅｓ）、制御部１００は次のステップＳ１６に進む。
【００５０】
ステップＳ１６：制御部１００は、画像形成装置１に固有の設定値（固有設定値）が両面印刷エラーを発生させる内容に対応したものであるか否かを判断する。ここでいう固有設定値とは、ユーザが指定した両面印刷が不可となった場合に、画像形成装置１がとるべき動作（振る舞い）の内容を表す固有値を意味する。このような固有設定値は、予め画像形成装置１の記憶部１０４に記憶されており、制御部１００は、記憶部１０４から読み出した固有設定値に基づいてステップＳ１６の判断を実行する。
【００５１】
固有設定値は、例えば大きく分けて２つである。その第１は、両面印刷不可と判断された場合に画像形成装置１の動作を停止し、両面印刷エラーを発生させるという一連の動作に対応した設定値（バイナリではＯＮで表す）である。第２は、両面印刷不可と判断された場合に両面印刷の指定を自動的に解除し、エラーを発生させることなく片面印刷で処理を継続するという一連の動作に対応した設定値（ＯＦＦで表す）である。前者である第１の固有設定値（＝ＯＮ）を有する場合（ステップＳ１６＝Ｙｅｓ）、制御部１００は次にステップＳ１８に進む。一方、後者である第２の固有設定値（＝ＯＦＦ）を有する場合（ステップＳ１６＝Ｎｏ）、制御部１００は別のステップＳ２０に続いてステップＳ２２に進む。以下、それぞれのステップについて説明する。
【００５２】
ステップＳ１８：制御部１００は、画像形成装置１の固有設定値に基づいて両面印刷エラーを発生させる。これに伴い、制御部１００は画像形成装置１の動作を停止させる。また制御部１００は、両面印刷エラーを発生させると、例えば操作・表示部１０２によりエラーメッセージ等の文字情報を表示させたり、エラー報知音を出力させたりする。
【００５３】
ステップＳ２０：制御部１００は、画像形成装置１の固有設定値に基づいて自動的に両面印刷の指定を解除する。これにより、今回のジョブでユーザが指定した両面印刷はキャンセルされる。
【００５４】
ステップＳ２２：ステップＳ２０において両面印刷の指定を解除すると、この状態で制御部１００は印刷処理を継続する。この場合、片面印刷の形式で印刷が行われることになる。
【００５５】
〔第２例〕
次に図４は、制御部１００が実行する動作制御の第２例を示すフローチャートである。制御部１００は、画像形成処理（描画）を完了すると、これに続き第２例として図４の動作制御を実行することもできる。なお図４中のステップＳ１０〜ステップＳ１４については、先に説明した第１例のステップＳＳ１０〜ステップＳ１４と同じ内容であるため、以下では異なる手順についてのみ説明する。
【００５６】
ステップＳ２４：制御部１００は、個別の設定値（個別設定値）が両面印刷エラーを発生させる内容に対応したものであるか否かを判断する。ここでいう個別設定値とは、ジョブで指定された両面印刷が不可と判断されたときに画像形成装置１としてどのように動作（振る舞い）すべきかを個別に設定した値である。個別の設定値は、例えばユーザが実行するジョブごとに設定したり、画像形成装置１が設置される部門（同一会社組織内のセクション）ごとに設定したり、印刷色条件（モノクロ又はフルカラー）別に設定したり、用紙サイズ（メディアタイプ）ごとに設定したりすることができる。
【００５７】
例えば、ジョブについてユーザが両面印刷を指定した場合、合わせてユーザは操作・表示部１０２を操作することでジョブごとの個別設定値を決定（メニュー等から選択）する。この場合、操作・表示部１０２には、「両面印刷ができなかった場合に印刷を一旦停止しますか？」等の文字情報とともに、「印刷を停止する」、「両面印刷せずに片面で印刷する」等のメニューボタンが表示される。ユーザは、任意にメニューボタンを選択して押下し、ジョブごとの個別設定値を決定することができる。
【００５８】
このように個別に決定された設定値（ＯＮ／ＯＦＦ）は、その都度、画像形成装置１の記憶部１０４に記憶（更新）されることになる。そして制御部１００は、画像形成装置１においてジョブを実行するごとに記憶部１０４から個別の設定値を読み出し、そのときの設定値に基づいてステップＳ２４の判断を実行する。
【００５９】
個別設定値もまた大きく２つに分けられるが、第１例の場合とは内容が異なる。すなわち第１は、ユーザの指定した両面印刷が不可となった場合に画像形成装置１の動作を停止してエラーを発生させるとともに、その後の動作についてユーザの選択（指示）を要求するという一連の動作に対応した設定値（ＯＮで表す）である。第２は、ユーザの指定した両面印刷が不可となった場合に両面印刷の指定を自動的に解除し、エラーを発生させることなく片面印刷の形式で印刷処理を継続するという一連の動作に対応した設定値（ＯＦＦで表す）である。いずれを個別設定値とするかは、その都度、ユーザがジョブごとに設定したり、予め部門ごとに設定しておいたり、ジョブごとの印刷色条件や使用する用紙サイズ別に関連付けて自動的に設定したりすることができる。
【００６０】
いずれにしても、前者である第１の個別設定値（＝ＯＮ）が与えられている場合（ステップＳ２４＝Ｙｅｓ）、制御部１００はステップＳ２６以降に進む。一方、後者である第２の個別設定値（＝ＯＦＦ）が与えられている場合（ステップＳ２４＝Ｎｏ）、制御部１００は別のステップＳ２０に続いてステップＳ２２に進む。ここからステップＳ２０，Ｓ２２に進む場合の内容は先の第１例と同じである。以下、ここからステップＳ２６に進む場合について説明する。
【００６１】
ステップＳ２６：制御部１００は、画像形成装置１の個別設定値に基づいて両面印刷エラーを発生させる。これに伴い、制御部１００は画像形成装置１の動作を停止させる。また制御部１００は、両面印刷エラーを発生させると、例えば操作・表示部１０２によりエラーメッセージ等の文字情報を表示させたり、エラー報知音を出力させたりする。
【００６２】
ステップＳ２８：両面印刷エラーを発生させると、次に制御部１００はユーザによる選択操作を待ち受ける。ここでの選択操作は、両面印刷の指定を解除して片面印刷の形式で印刷処理を継続させるか、もしくは用紙サイズや用紙タイプ等の設定を変更して両面印刷を実行するかのいずれかをユーザが指示することで行われる。
【００６３】
この場合、例えば図５に示されているように、制御部１００は操作・表示部１０２において例えば「両面印刷エラーです。設定した条件では両面印刷を実行できません。両面印刷を取り消し、片面印刷にして強制継続しますか？」等の文字情報をダイアログボックス形式で表示するとともに、合わせて「強制継続」、「設定変更して両面印刷」等の文字情報を表示した操作ボタンを表示する。このときユーザがいずれかの操作ボタンに触れることで、その後の画像形成装置１がとるべき動作を選択的に指示することができる。
【００６４】
ステップＳ２８でユーザが強制継続ではなく設定変更して両面印刷する旨を指示した場合（Ｎｏ）、制御部１００は次のステップＳ３０に進む。これに対し、ユーザが強制継続を指示した場合（Ｙｅｓ）、制御部１００はステップＳ２０に進む。以下、それぞれの場合について説明する。
【００６５】
ステップＳ３０：先のステップＳ２８で、ユーザが強制継続ではなく設定変更して両面印刷する旨を指示した場合（Ｎｏ）、制御部１００は設定が変更されるまで待機状態となる。
【００６６】
ここでいう設定の変更とは、ジョブで指定された両面印刷を可能とするための具体的な条件設定の変更を意味する。例えば、ユーザが両面印刷に不適切な用紙サイズ又は用紙タイプを収容した給紙段（給紙カセット４）を指定していることに起因して両面印刷が不可と判断されている場合、ユーザが給紙段の指定を変更することで用紙サイズや用紙タイプが適切に変更されると、それによって両面印刷不可の条件は解消する。
【００６７】
このようにユーザが具体的に設定を変更する操作を行うと（ステップＳ３０＝Ｙｅｓ）、制御部１００はステップＳ１４に戻って両面印刷が不可となるケースに該当するか否かを再度判断する。その結果、未だ両面印刷不可のケースに該当していれば（Ｙｅｓ）、再び制御部１００はステップＳ２４以降を実行する。一方、両面印刷不可のケースに該当しなくなっていれば（Ｎｏ）、制御部１００はステップＳ２２に進んで両面印刷による印刷処理を継続する。
【００６８】
ステップＳ２０：これに対し、先のステップＳ２８でユーザが強制継続を選択して指示した場合（Ｙｅｓ）、制御部１００は両面印刷の指定そのものを解除する。これにより、今回のジョブでユーザが設定した両面印刷する旨の指定は強制的にキャンセルされる。
【００６９】
ステップＳ２２：ステップＳ２０において両面印刷の指定を解除すると、この状態で制御部１００は印刷処理を継続する。この場合、両面印刷用ユニット２０は使用されず、片面だけ印刷された状態の用紙Ｐが排紙されることになる。
【００７０】
〔個別設定値の好適例〕
ここで、第２例として図４に示した動作制御処理で用いられる個別設定値について、本発明の発明者等は以下の好ましい具体例を提供している。
（１）事業部門ごとの個別設定値
例えば、同一の会社組織等において複数の事業部門が画像形成装置１を共通に使用する場合、予め識別（ＩＤ）コードを磁気記録したコピーカードを事業部門ごと付与しておき、画像形成装置１の起動に際してコピーカードの挿入を必須とする運用形態が一般的である。この場合、事業部門ごとに上記の個別設定値を予め記憶部１０４に登録しておくことで、制御部１００は挿入されたコピーカードの識別コードから事業部門を判別し、登録された個別設定値を読み出して動作制御を実行することができる。このように、両面印刷不可と判断された場合の動作が事業部門ごとに予め決まっていれば、各ユーザはその所属する事業部門で決まった対処をすればよいので、実際に両面印刷不可と判断された場合の対処が容易になる。
【００７１】
（２）印刷色条件ごとの個別設定値
例えば、フルカラー印刷又はモノクロ印刷の条件ごとに予め個別設定値を割り当てておくことができる。この場合、印刷単価が比較的安いモノクロ印刷のジョブでは、エラーを発生させることなく自動的に両面印刷の指定を解除し、片面印刷の形式に変更して印刷処理を継続させるが、印刷単価が比較的高いフルカラー印刷のジョブでは、エラーを発生させてその都度ユーザの意志（強制継続又は設定変更）を仰ぐことができる。なお、このような個別設定値は、画像形成システムにカラー印刷機構を備えた画像形成装置を適用した場合に有効である。
【００７２】
図３に示した動作制御の第１例によれば、画像形成装置１に機械固有の設定値をユーザサイドが予め付与しておくことで、両面印刷不可と判断された場合の動作をユーザに好都合なパターンに統一することができる。例えば、両面印刷不可と判断された場合に印刷停止することがユーザにとって利便であれば、その挙動に合わせて固有設定値を付与することができるし、反対に両面印刷不可と判断された場合、自動的に片面で印刷を継続させることがユーザにとって利便であれば、その挙動に合わせて固有設定値を付与することができる。この点、機械として常に決まった１つの動作しかとり得ない場合と比較して、動作制御の第１例を採用する方がユーザの利便性は高い。
【００７３】
また、図４に示した動作制御の第２例によれば、例えばジョブごとに個別設定値をユーザが予め付与しておくことで、両面印刷不可と判断された場合の動作をユーザがジョブごとに決定することができる。例えば、今回のジョブで両面印刷不可と判断された場合に印刷を停止し、その都度ユーザの意志を反映させることが利便であれば、その挙動に合わせて個別設定値を付与することができるし、反対に両面印刷不可と判断されたとしても、とにかく片面で印刷を継続させることがユーザにとって利便であれば、その挙動に合わせて個別設定値を付与することができる。したがって、機械として常に決まった１つの動作しかとり得ない場合と比較して、動作制御の第２例を採用する方がユーザの利便性は高い。
【００７４】
本発明は上述した一実施形態に制約されることなく、各種の変形や置換を伴って実施することができる。画像形成装置１の内部構造や各種機構部品の形態はあくまで好ましい例示であり、本発明が図１のものに限定されるわけではない。
【００７５】
また、一実施形態で挙げた両面印刷不可となるケースはあくまで例示であり、画像形成装置１の構成に応じて別のケースが想定される場合は、そのようなケースに合わせて動作制御の第１例又は第２例を実行することができる。
【００７６】
その他、一実施形態で挙げた各種の部材や駆動部品はいずれも好ましい例示であり、これらは適宜変形して実施することが可能である。
【図面の簡単な説明】
【００７７】
【図１】一実施形態の画像形成装置を概略的に示した垂直断面正面図である。
【図２】画像形成装置の制御構成を概略的に示したブロック図である。
【図３】制御部が実行する動作制御の第１例を示すフローチャートである。
【図４】制御部が実行する動作制御の第２例を示すフローチャートである。
【図５】エラー発生時に操作・表示部に表示されるダイアログボックスの例を示した図である。
【符号の説明】
【００７８】
１    画像形成装置
２    本体
３    カセット式給紙部
４    給紙カセット
８    原稿送り部
９    光学部
１０    プリントエンジン（画像形成部）
１１    転写部
１２    定着部
１３    排出・分岐部
２０    両面印刷用ユニット（両面印刷機構）
１００    制御部（画像処理手段、制御手段、両面印刷可否判断手段、固有制御実行手段、個別制御実行手段）
１０２    操作・表示部（選択指示手段）
１０４    記憶部（個別設定手段）
【図１】
2008015149.tif 000003
【図２】
2008015149.tif 000004
【図３】
2008015149.tif 000005
【図４】
2008015149.tif 000006
【図５】
2008015149.tif 000007